(57)【特許請求の範囲】
【請求項１】
画面データを記憶する第１の表示装置と、前記第１の表示装置が記憶する画面データに基づく画面を表示する第２の表示装置とを備えた表示システムであって、
画面の移動を要求するフリック操作を前記第２の表示装置で受け付ける操作受付手段と、
前記操作受付手段にて受け付けたフリック操作に関するフリック情報を前記第１の表示装置に送信する第１の送信手段と、
前記第２の表示装置の画面上における一部の領域であって、画面の移動中に表示を変える領域を決定する領域決定手段と、
前記領域決定手段にて決定した領域の位置情報と、前記領域決定手段にて決定した領域における、前記フリック情報に基づいて決定された移動開始から移動完了前までの画面の画面データとを、前記第１の表示装置から前記第２の表示装置へ順次送信する第２の送信手段と、
前記第２の送信手段にて送信した位置情報の領域に、前記第２の送信手段にて送信した画面データに基づく画面を前記第２の表示装置で表示する第１の表示手段とを備えた、表示システム。
【請求項２】
前記フリック情報に基づいて、移動完了の画面の画面データを前記第１の表示装置から前記第２の表示装置へ送信する第３の送信手段をさらに備え、
移動完了の画面の画面データとして、前記第３の送信手段は、前記第２の表示装置で表示する画面データのうち、前記操作受付手段にて受け付けたフリック操作による可動領域全体の画面データを送信する、請求項１に記載の表示システム。
【請求項３】
移動完了の画面の画面データとして、前記第３の送信手段は、前記第２の表示装置で表示する画面データのうち、前記可動領域以外の領域の画面データをさらに送信する、請求項２に記載の表示システム。
【請求項４】
前記領域決定手段は、前記操作受付手段にて受け付けたフリック操作の前記第２の表示装置への接触位置および前記接触位置の周囲の領域を、画面の移動中に表示を変える領域として決定する、請求項１〜３のいずれかに記載の表示システム。
【請求項５】
前記操作受付手段にてフリック操作を受け付けた時に前記第２の表示装置が表示していた画面が、重要な情報を含む場合、前記領域決定手段は、重要な情報が表示されていた領域を、画面の移動中に表示を変える領域として決定する、請求項１〜３のいずれかに記載の表示システム。
【請求項６】
前記操作受付手段にてフリック操作を受け付けた時に前記第２の表示装置が表示していた画面が、宛先名を含む宛先表である場合、前記領域決定手段は、宛先名が表示されている領域を、画面の移動中に表示を変える領域として決定する、請求項５に記載の表示システム。
【請求項７】
前記操作受付手段にてフリック操作を受け付けた時に前記第２の表示装置が表示していた画面が、複数の設定項目を含むジョブに関する設定を行う画面である場合、前記領域決定手段は、前記複数の設定項目が表示されている領域を、画面の移動中に表示を変える領域として決定する、請求項５または６に記載の表示システム。
【請求項８】
前記操作受付手段にて受け付けたフリック操作から画面の移動方向を検出する移動方向検出手段をさらに備え、
前記領域決定手段は、前記操作受付手段にて受け付けたフリック操作の前記第２の表示装置への接触位置から、前記移動方向検出手段にて検出した移動方向に延在した領域を、画面の移動中に表示を変える領域として決定する、請求項１〜４のいずれかに記載の表示システム。
【請求項９】
前記操作受付手段にて受け付けたフリック操作の手が左右どちらであるかを検知する操作手検知手段をさらに備え、
前記領域決定手段は、前記操作受付手段にて受け付けたフリック操作の前記第２の表示装置への接触位置から、前記操作手検知手段にて検知した手とは逆側に延在した領域を、画面の移動中に表示を変える領域として決定する、請求項１〜４のいずれかに記載の表示システム。
【請求項１０】
前記第２の送信手段にて送信した位置情報の領域に、前記第２の送信手段にて送信した画面データに基づく画面を表示している場合、前記第１の表示手段は、前記第２の送信手段にて送信した位置情報の領域以外の領域に、前記操作受付手段にてフリック操作を受け付ける前に表示していた画面を表示する、請求項１〜９のいずれかに記載の表示システム。
【請求項１１】
前記第２の送信手段にて送信した位置情報の領域に、前記第２の送信手段にて送信した画面データに基づく画面を表示している場合、前記第１の表示手段は、前記第２の送信手段にて送信した位置情報の領域以外の領域に、前記操作受付手段にてフリック操作を受け付ける前に表示していた画面をグレーアウトした画面を表示する、請求項１〜９のいずれかに記載の表示システム。
【請求項１２】
画面データを記憶する画像形成装置と、前記画像形成装置が記憶する画面データに基づく画面を無線通信により表示する表示装置とを備えた表示システムであって、
画面の移動を要求するフリック操作を前記表示装置で受け付ける操作受付手段と、
前記操作受付手段にて受け付けたフリック操作に関するフリック情報を前記画像形成装置に送信する第１の送信手段と、
前記表示装置の画面上における一部の領域であって、画面の移動中に表示を変える領域を決定する領域決定手段と、
前記領域決定手段にて決定した領域の位置情報と、前記領域決定手段にて決定した領域における、前記フリック情報に基づいて決定された移動開始から移動完了前までの画面の画面データとを、前記画像形成装置から前記表示装置へ順次送信する第２の送信手段と、
前記第２の送信手段にて送信した位置情報の領域に、前記第２の送信手段にて送信した画面データに基づく画面を前記表示装置で表示する第１の表示手段とを備えた、表示システム。
【請求項１３】
画面データを記憶する第１の表示装置と、前記第１の表示装置が記憶する画面データに基づく画面を表示する第２の表示装置とを備えた表示システムの制御プログラムであって、
画面の移動を要求するフリック操作を前記第２の表示装置で受け付ける操作受付ステップと、
前記操作受付ステップにて受け付けたフリック操作に関するフリック情報を前記第１の表示装置に送信する第１の送信ステップと、
前記第２の表示装置の画面上における一部の領域であって、画面の移動中に表示を変える領域を決定する領域決定ステップと、
前記領域決定ステップにて決定した領域の位置情報と、前記領域決定ステップにて決定した領域における、前記フリック情報に基づいて決定された移動開始から移動完了前までの画面の画面データとを、前記第１の表示装置から前記第２の表示装置へ順次送信する第２の送信ステップと、
前記第２の送信ステップにて送信した位置情報の領域に、前記第２の送信ステップにて送信した画面データに基づく画面を前記第２の表示装置で表示する第１の表示ステップとをコンピューターに実行させる、表示システムの制御プログラム。
【請求項１４】
画面データを記憶する画像形成装置と、前記画像形成装置が記憶する画面データに基づく画面を無線通信により表示する表示装置とを備えた表示システムの制御プログラムであって、
画面の移動を要求するフリック操作を前記表示装置で受け付ける操作受付ステップと、
前記操作受付ステップにて受け付けたフリック操作に関するフリック情報を前記画像形成装置に送信する第１の送信ステップと、
前記表示装置の画面上における一部の領域であって、画面の移動中に表示を変える領域を決定する領域決定ステップと、
前記領域決定ステップにて決定した領域の位置情報と、前記領域決定ステップにて決定した領域における、前記フリック情報に基づいて決定された移動開始から移動完了前までの画面の画面データとを、前記画像形成装置から前記表示装置へ順次送信する第２の送信ステップと、
前記第２の送信ステップにて送信した位置情報の領域に、前記第２の送信ステップにて送信した画面データに基づく画面を前記表示装置で表示する第１の表示ステップとをコンピューターに実行させる、表示システムの制御プログラム。
【請求項１５】
画面データを記憶する記憶手段を備えた表示装置であって、
画面の移動を要求するフリック操作に関するフリック情報を他の表示装置から受信する受信手段と、
前記他の表示装置の画面上における一部の領域であって、画面の移動中に表示を変える領域を決定する領域決定手段と、
前記領域決定手段にて決定した領域の位置情報と、前記領域決定手段にて決定した領域における、前記フリック情報に基づいて決定された移動開始から移動完了前までの画面の画面データとを、前記他の表示装置へ順次送信する送信手段とをさらに備えた、表示装置。
【発明の詳細な説明】
【技術分野】
【０００１】
本発明は表示システム、表示システムの制御プログラム、および表示装置に関し、より特定的には、画面データを記憶する第１の表示装置と、第１の表示装置が記憶する画面データに基づく画面を表示する第２の表示装置とを備えた表示システム、表示システムの制御プログラム、および表示装置に関する。
【背景技術】
【０００２】
近年、携帯情報端末が高機能化しており、個人がＰＣ（パーソナルコンピューター）の代わりに携帯情報端末を所有している。携帯情報端末では、電子化された文書を場所を選ばず自由に閲覧および編集することができる。携帯情報端末は、業務や生活の様々な場面で用いられるようになっている。
【０００３】
携帯情報端末の高機能化に伴い、本体パネル（操作パネル）を有する画像形成装置と、リモートパネルを有する携帯情報端末とを備えた表示システムにおいて、画像形成装置と携帯情報端末との連携が求められている。具体的には、たとえば本体パネルで表示した画面と同一の画面を、リモートパネルでも表示することなどが求められている。
【０００４】
本体パネルで表示した画面と同一の画面をリモートパネルでも表示する場合、従来においては、携帯情報端末は、本体パネルに表示する画像データであって、画像形成装置のＲＡＭ（Ｒａｎｄｏｍ  Ａｃｃｅｓｓ  Ｍｅｍｏｒｙ）に記憶された画像データを取得して、取得した画像データに基づいてリモートパネルにも表示していた。リモートパネルが表示する静止画面を変更する操作をユーザーから受け付けた場合には、その都度、画像形成装置から変更後の画面のデータを取得していた。
【０００５】
表示元の画面を他の端末で表示する技術は、たとえば下記特許文献１に開示されている。下記特許文献１には、送信先の装置の性能を記憶している記憶部と、モーフィングによって動画を生成する動画生成部とを有する通信装置が開示されている。この通信装置は、モーフィングで生成する像の数や各像のデータ量を、送信先の装置の性能に応じて定める。この通信装置は、送信先の装置の受信速度に応じて像の数やデータ量を定める。
【先行技術文献】
【特許文献】
【０００６】
【特許文献１】特開２００５−１３５０４７号公報
【発明の概要】
【発明が解決しようとする課題】
【０００７】
携帯情報端末の中には、フリック操作などのジェスチャーによる操作が可能なものがある。この種の携帯情報端末によれば、より直接的、より直感的な操作が可能である。しかし従来の技術では、携帯情報端末でフリック操作を行った場合に、画像形成装置がフリック操作に対応できず、携帯情報端末はユーザーが所望する画面を表示することができなかった。その結果、ユーザーの利便性が悪いという問題があった。
【０００８】
仮に、携帯通信端末で行われたフリック操作に伴う移動中の画面の画面データを画像形成装置から携帯通信端末へ送信しようとすると、画面データのサイズが大きいために、画像形成装置から携帯通信端末へ送信するデータの通信量が大きくなり、フリック操作に伴う移動中の画面を携帯通信端末のリモートパネル上でスムーズに動かすことができなかった。
【０００９】
また、フリック操作に伴う移動中の画面を携帯通信端末のリモートパネル上でスムーズに動かす方法として、画像形成装置から送信する画面の解像度を落とすことで、画像形成装置から携帯通信端末へ送信するデータの通信量を削減し、通信量を削減し、応答性を向上する方法が考えられる。しかしこの方法では、ユーザーが必要とする情報までもが低い解像度でリモートパネル上に表示されるため、ユーザーの利便性が悪かった。
【００１０】
この問題は、画像形成装置と携帯情報端末との間の問題のみならず、画面データを記憶する第１の表示装置と、第１の表示装置が記憶する画面データに基づく画面を表示する第２の表示装置とを備えた表示システムに共通する問題であった。
【００１１】
本発明は、上記課題を解決するためのものであり、その目的は、ユーザーの利便性を向上することのできる表示システム、表示システムの制御プログラム、および表示装置を提供することである。
【課題を解決するための手段】
【００１２】
本発明の一の局面に従う表示システムは、画面データを記憶する第１の表示装置と、第１の表示装置が記憶する画面データに基づく画面を表示する第２の表示装置とを備えた表示システムであって、画面の移動を要求するフリック操作を第２の表示装置で受け付ける操作受付手段と、操作受付手段にて受け付けたフリック操作に関するフリック情報を第１の表示装置に送信する第１の送信手段と、第２の表示装置の画面上における一部の領域であって、画面の移動中に表示を変える領域を決定する領域決定手段と、領域決定手段にて決定した領域の位置情報と、領域決定手段にて決定した領域における、フリック情報に基づいて決定された移動開始から移動完了前までの画面の画面データとを、第１の表示装置から第２の表示装置へ順次送信する第２の送信手段と、第２の送信手段にて送信した位置情報の領域に、第２の送信手段にて送信した画面データに基づく画面を第２の表示装置で表示する第１の表示手段とを備える。
【００１３】
上記表示システムにおいて好ましくは、フリック情報に基づいて、移動完了の画面の画面データを第１の表示装置から第２の表示装置へ送信する第３の送信手段をさらに備え、第２の表示装置で表示する画面データのうち、操作受付手段にて受け付けたフリック操作による可動領域全体の画面データを送信する。
【００１４】
上記表示システムにおいて好ましくは、第３の送信手段は、第２の表示装置で表示する画面データのうち、可動領域以外の領域の画面データをさらに送信する。
【００１５】
上記表示システムにおいて好ましくは、領域決定手段は、操作受付手段にて受け付けたフリック操作の第２の表示装置への接触位置および接触位置の周囲の領域を、画面の移動中に表示を変える領域として決定する。
【００１６】
上記表示システムにおいて好ましくは、操作受付手段にてフリック操作を受け付けた時に第２の表示装置が表示していた画面が、重要な情報を含む場合、領域決定手段は、重要な情報が表示されていた領域を、画面の移動中に表示を変える領域として決定する。
【００１７】
上記表示システムにおいて好ましくは、操作受付手段にてフリック操作を受け付けた時に第２の表示装置が表示していた画面が、宛先名を含む宛先表である場合、領域決定手段は、宛先名が表示されている領域を、画面の移動中に表示を変える領域として決定する。
【００１８】
上記表示システムにおいて好ましくは、操作受付手段にてフリック操作を受け付けた時に第２の表示装置が表示していた画面が、複数の設定項目を含むジョブに関する設定を行う画面である場合、領域決定手段は、複数の設定項目が表示されている領域を、画面の移動中に表示を変える領域として決定する。
【００１９】
上記表示システムにおいて好ましくは、操作受付手段にて受け付けたフリック操作から画面の移動方向を検出する移動方向検出手段をさらに備え、領域決定手段は、操作受付手段にて受け付けたフリック操作の第２の表示装置への接触位置から、移動方向検出手段にて検出した移動方向に延在した領域を、画面の移動中に表示を変える領域として決定する。
【００２０】
上記表示システムにおいて好ましくは、操作受付手段にて受け付けたフリック操作の手が左右どちらであるかを検知する操作手検知手段をさらに備え、領域決定手段は、操作受付手段にて受け付けたフリック操作の第２の表示装置への接触位置から、操作手検知手段にて検知した手とは逆側に延在した領域を、画面の移動中に表示を変える領域として決定する。
【００２１】
上記表示システムにおいて好ましくは、第２の送信手段にて送信した位置情報の領域に、第２の送信手段にて送信した画面データに基づく画面を表示している場合、第１の表示手段は、第２の送信手段にて送信した位置情報の領域以外の領域に、操作受付手段にてフリック操作を受け付ける前に表示していた画面を表示する。
【００２２】
上記表示システムにおいて好ましくは、第２の送信手段にて送信した位置情報の領域に、第２の送信手段にて送信した画面データに基づく画面を表示している場合、第１の表示手段は、第２の送信手段にて送信した位置情報の領域以外の領域に、操作受付手段にてフリック操作を受け付ける前に表示していた画面をグレーアウトした画面を表示する。
【００２３】
本発明の他の局面に従う表示システムは、画面データを記憶する画像形成装置と、画像形成装置が記憶する画面データに基づく画面を無線通信により表示する表示装置とを備えた表示システムであって、画面の移動を要求するフリック操作を表示装置で受け付ける操作受付手段と、操作受付手段にて受け付けたフリック操作に関するフリック情報を画像形成装置に送信する第１の送信手段と、表示装置の画面上における一部の領域であって、画面の移動中に表示を変える領域を決定する領域決定手段と、領域決定手段にて決定した領域の位置情報と、領域決定手段にて決定した領域における、フリック情報に基づいて決定された移動開始から移動完了前までの画面の画面データとを、画像形成装置から表示装置へ順次送信する第２の送信手段と、第２の送信手段にて送信した位置情報の領域に、第２の送信手段にて送信した画面データに基づく画面を表示装置で表示する第１の表示手段とを備える。
【００２４】
本発明のさらに他の局面に従う表示システムの制御プログラムは、画面データを記憶する第１の表示装置と、第１の表示装置が記憶する画面データに基づく画面を表示する第２の表示装置とを備えた表示システムの制御プログラムであって、画面の移動を要求するフリック操作を第２の表示装置で受け付ける操作受付ステップと、操作受付ステップにて受け付けたフリック操作に関するフリック情報を第１の表示装置に送信する第１の送信ステップと、第２の表示装置の画面上における一部の領域であって、画面の移動中に表示を変える領域を決定する領域決定ステップと、
領域決定ステップにて決定した領域の位置情報と、領域決定ステップにて決定した領域における、フリック情報に基づいて決定された移動開始から移動完了前までの画面の画面データとを、第１の表示装置から第２の表示装置へ順次送信する第２の送信ステップと、第２の送信ステップにて送信した位置情報の領域に、第２の送信ステップにて送信した画面データに基づく画面を第２の表示装置で表示する第１の表示ステップとをコンピューターに実行させる。
【００２５】
本発明のさらに他の局面に従う表示システムの制御プログラムは、画面データを記憶する画像形成装置と、画像形成装置が記憶する画面データに基づく画面を無線通信により表示する表示装置とを備えた表示システムの制御プログラムであって、画面の移動を要求するフリック操作を表示装置で受け付ける操作受付ステップと、操作受付ステップにて受け付けたフリック操作に関するフリック情報を画像形成装置に送信する第１の送信ステップと、表示装置の画面上における一部の領域であって、画面の移動中に表示を変える領域を決定する領域決定ステップと、領域決定ステップにて決定した領域の位置情報と、領域決定ステップにて決定した領域における、フリック情報に基づいて決定された移動開始から移動完了前までの画面の画面データとを、画像形成装置から表示装置へ順次送信する第２の送信ステップと、第２の送信ステップにて送信した位置情報の領域に、第２の送信ステップにて送信した画面データに基づく画面を表示装置で表示する第１の表示ステップとをコンピューターに実行させる。
【００２６】
本発明のさらに他の局面に従う表示装置は、画面データを記憶する記憶手段を備えた表示装置であって、画面の移動を要求するフリック操作に関するフリック情報を他の表示装置から受信する受信手段と、他の表示装置の画面上における一部の領域であって、画面の移動中に表示を変える領域を決定する領域決定手段と、領域決定手段にて決定した領域の位置情報と、領域決定手段にて決定した領域における、フリック情報に基づいて決定された移動開始から移動完了前までの画面の画面データとを、他の表示装置へ順次送信する送信手段とをさらに備える。
【発明の効果】
【００２７】
本発明によれば、ユーザーの利便性を向上することのできる表示システム、表示システムの制御プログラム、および表示装置を提供することができる。
【図面の簡単な説明】
【００２８】
【図１】本発明の第１の実施の形態における表示システムの概略的な構成を示す図である。
【図２】画像形成装置１の内部構成を示すブロック図である。
【図３】携帯通信端末２の内部構成を示すブロック図である。
【図４】携帯通信端末２がフリック操作を受け付けた時（移動開始前）に携帯通信端末２および操作パネル１３０が表示していた画面を模式的に示す図である。
【図５】画面の移動開始から移動完了前（移動中）に携帯通信端末２および操作パネル１３０が表示する第１の画面を模式的に示す図である。
【図６】画面の移動開始から移動完了前（移動中）に携帯通信端末２および操作パネル１３０が表示する第２の画面を模式的に示す図である。
【図７】本発明の第１の実施の形態において、パネルＡとパネルＢとの間で行われる通信の一例を示すシーケンス図である。
【図８】本発明の第１の実施の形態における、パネルＢ上でフリック操作を受け付けた場合のパネルＡの動作を説明するフローチャートである。
【図９】本発明の第１の実施の形態における、パネルＢ上でフリック操作を受け付けた場合のパネルＢの動作を説明するフローチャートである。
【図１０】フリック情報に基づいて決定された移動領域の一例を示す図である。
【図１１】本発明の第２の実施の形態において、パネルＢがフリック操作を受け付けた場合にパネルＢおよびパネルＡが表示する移動完了の画面を模式的に示す図である。
【図１２】本発明の第２の実施の形態において、パネルＡとパネルＢとの間で行われる通信の一例を示すシーケンス図である。
【図１３】本発明の第２の実施の形態における、パネルＢ上でフリック操作を受け付けた場合のパネルＡの動作を説明するフローチャートである。
【図１４】本発明の第２の実施の形態における、パネルＢ上でフリック操作を受け付けた場合のパネルＢの動作を説明するフローチャートである。
【図１５】本発明の第３の実施の形態における移動領域を模式的に示す図である。
【図１６】本発明の第３の実施の形態において、パネルＡとパネルＢとの間で行われる通信の一例を示すシーケンス図である。
【図１７】本発明の第３の実施の形態における、パネルＢ上でフリック操作を受け付けた場合のパネルＡの動作を説明するフローチャートである。
【図１８】本発明の第４の実施の形態における移動領域を模式的に示す図である。
【図１９】フリック操作を行った手の第１の検知方法を模式的に示す平面図である。
【図２０】フリック操作を行った手の第２の検知方法に使用されるＩＤ情報テーブルを模式的に示す図である。
【図２１】本発明の第４の実施の形態において、パネルＡとパネルＢとの間で行われる通信の一例を示すシーケンス図である。
【図２２】本発明の第４の実施の形態における、パネルＢ上でフリック操作を受け付けた場合のパネルＡの動作を説明するフローチャートである。
【図２３】本発明の第４の実施の形態における、パネルＢ上でフリック操作を受け付けた場合のパネルＢの動作を説明するフローチャートである。
【図２４】画面の移動開始から移動完了前（移動中）に携帯通信端末２が表示する画面の変形例を模式的に示す図である。
【図２５】携帯通信端末２がフリック操作を受け付けた時（移動開始前）に携帯通信端末２および操作パネル１３０が表示していた画面の他の例を示す図である。
【発明を実施するための形態】
【００２９】
以下、本発明の実施の形態について、図面に基づいて説明する。
【００３０】
以下の実施の形態の表示システムは、画面データを記憶する第１の表示装置と、第１の表示装置が記憶する画面データに基づく画面を表示する第２の表示装置とを備えた表示システムである。以下の実施の形態では、画像形成装置が第１の表示装置であり、画像形成装置と有線通信または無線通信が可能な携帯通信端末が第２の表示装置である場合であっについて説明する。
【００３１】
以下の実施の形態において、「フリック操作」とは、タッチパネルに触れた操作指や操作具を、タッチパネルに触れたまま任意の方向にスライドさせる操作を意味している。
【００３２】
［第１の実施の形態］
始めに、本実施の形態における表示システムの構成について説明する。
【００３３】
図１は、本発明の第１の実施の形態における表示システムの概略的な構成を示す図である。
【００３４】
図１を参照して、表示システムは、画像形成装置１と、携帯通信端末２とを備えている。画像形成装置１は、たとえばスキャナ機能、ファクシミリ機能、複写機能、プリンタとしての機能、データ通信機能、およびサーバ機能を備えたＭＦＰ（Ｍｕｌｔｉ  Ｆｕｎｃｔｉｏｎ  Ｐｅｒｉｐｈｅｒａｌ）である。画像形成装置１は、ネットワーク４を通じて外部機器（図示無し）や携帯通信端末２と相互に接続されている。
【００３５】
ネットワーク４は、たとえば有線または無線のＬＡＮ（Ｌｏｃａｌ  Ａｒｅａ  Ｎｅｔｗｏｒｋ）などの専用回線を用いたものである。ネットワーク４は、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）のプロトコルを用いて各種機器を接続する。ネットワーク４に接続された機器は、お互いに各種データのやり取りが可能となっている。なお、ネットワーク４は、一般回線を用いたものや無線通信を用いたものであってもよい。
【００３６】
画像形成装置１は、たとえば、走査した原稿画像や、外部機器や携帯通信端末２から受信したプリントデータに基づいて生成した画像の複写画像を、用紙上に形成する。プリントデータとは、たとえば、外部機器や携帯通信端末２のオペレーティングシステムやアプリケーションプログラムが発行する描画命令を、プリンタドライバによって画像形成装置１が処理可能なページ記述言語に変換したものである。プリントデータは、ＰＤＦ、ＴＩＦＦ、ＪＰＥＧ、またはＸＰＳなどのファイルフォーマットで記述された文書データなどであってもよい。
【００３７】
画像形成装置１は、ネットワーク４を介して、外部機器や携帯通信端末２に原稿画像を送信することも可能である。さらに画像形成装置１は、外部機器や携帯通信端末２から受信した文書データを、画像形成装置１内の固定記憶装置に蓄積することも可能である。
【００３８】
携帯通信端末２は、画像形成装置１との間で無線通信または有線通信（好ましくは無線通信）によりデータの送受信を行うことが可能である。携帯通信端末２は、ＣＰＵ（Ｃｅｎｔｒａｌ  Ｐｒｏｃｅｓｓｉｎｇ  Ｕｎｉｔ）、ＲＡＭ、固定記憶装置、モニター、およびタッチ操作可能なＬＣＤ（Ｌｉｑｕｉｄ  Ｃｒｙｓｔａｌ  Ｄｉｓｐｌａｙ）パネルなどを有する携帯型のコンピューター装置である。
【００３９】
なお、表示システムは、図１とは異なる構成を有していてもよい。表示システムは、たとえば、画面データを記憶する画像形成装置であって操作パネルを含まない画像形成装置と、画像形成装置が記憶する画面データに基づく画面を無線通信により表示する表示装置とを備えたものであってもよい。画像形成装置は、たとえば電子写真方式や静電記録方式などによって画像形成を行うものであり、ＭＦＰの他、ファクシミリ装置、複写機、またはプリンタなどであってもよい。第１の表示装置は、画像形成装置に固定された操作パネルである場合の他、たとえば携帯通信端末や、画像形成装置に対して着脱可能であり、かつ画像形成装置と無線通信が可能な操作パネルなどであってもよい。第２の表示装置は、携帯通信端末である場合の他、たとえば画像形成装置に固定された操作パネルや、画像形成装置に対して着脱可能な操作パネルなどであってもよい。
【００４０】
図２は、画像形成装置１の内部構成を示すブロック図である。
【００４１】
図２を参照して、画像形成装置１は、ＣＰＵ１０１と、ＲＯＭ（Ｒｅａｄ  Ｏｎｌｙ  Ｍｅｍｏｒｙ）１０２と、ＳＲＡＭ（Ｓｔａｔｉｃ  Ｒａｎｄｏｍ  Ａｃｃｅｓｓ  Ｍｅｍｏｒｙ）１０３と、ＮＶＲＡＭ（Ｎｏｎ  Ｖｏｌａｔｉｌｅ  Ｒａｎｄｏｍ  Ａｃｃｅｓｓ  Ｍｅｍｏｒｙ、不揮発性メモリ）１０４と、時計ＩＣ（Ｉｎｔｅｇｒａｔｅｄ  Ｃｉｒｃｕｉｔ）１０５と、固定記憶装置１１０と、画像読取装置１２０と、操作パネル１３０と、画像出力装置１４０と、プリンタコントローラ１５０と、ネットワークＩ／Ｆ１６０と、ワイヤレスＩ／Ｆ１７０と、短距離無線Ｉ／Ｆ１８０と、ドックコネクタ１９０と、個人認証部１９５とを含んでいる。
【００４２】
ＣＰＵ１０１には、ＲＯＭ１０２、ＳＲＡＭ１０３、ＮＶＲＡＭ１０４、および時計ＩＣ１０５の各々がバスを介して接続されている。ＣＰＵ１０１、ＲＯＭ１０２、ＳＲＡＭ１０３、ＮＶＲＡＭ１０４、および時計ＩＣ１０５によって制御部１００が構成されている。ＲＯＭ１０２は、画像形成装置１の動作を制御する制御プログラムを格納する。ＳＲＡＭ１０３はＣＰＵ１０１の作業用のメモリである。ＮＶＲＡＭ１０４はバッテリバックアップにより、画像形成に関わる各種の設定を記憶している。
【００４３】
制御部１００には、固定記憶装置１１０、画像読取装置１２０、操作パネル１３０、画像出力装置１４０、プリンタコントローラ１５０、ネットワークＩ／Ｆ１６０、およびワイヤレスＩ／Ｆ１７０の各々がバスを介して接続されている。固定記憶装置１１０は、たとえばハードディスク装置であり、操作パネル１３０および携帯通信端末２に表示する画面の画面データを記憶している。画像読取装置１２０は、原稿画像を読み取る。操作パネル１３０は、数字の入力を行うテンキー１３１や、印刷の実行指示を受け付けるプリントキー１３２や、ユーザーのログアウトの指示を受け付けるログアウトキー１３３や、各種情報を表示する表示部１３４などを含んでいる。操作パネル１３０は表示部１３４を含んでいるため、画像形成装置１は表示装置の一種である。画像出力装置１４０は、複写画像を用紙上に形成する。プリンタコントローラ１５０は、ネットワークＩ／Ｆ１６０により受信したプリントデータから複写画像を生成する。ネットワークＩ／Ｆ１６０は、ネットワークケーブル４ｃを介して画像形成装置１をネットワーク４に接続する。ネットワークＩ／Ｆ１６０は、外部機器や携帯通信端末２との間で、各種の情報を送受信する。ワイヤレスＩ／Ｆ１７０は、外部機器や携帯通信端末２との間で無線通信を行う。
【００４４】
制御部１００には、さらに、短距離無線Ｉ／Ｆ１８０、ドックコネクタ１９０、および個人認証部１９５の各々がバスを介して接続されている。短距離無線Ｉ／Ｆ１８０は、たとえばＢｌｕｅｔｏｏｔｈ（登録商標）やＩｒＤＡ（登録商標）などであり、主に携帯通信端末２との通信に用いられる。ドックコネクタ１９０には、携帯通信端末２が装着される。画像形成装置１はドックコネクタ１９０を通じて、携帯通信端末２との間で各種のデータを送受信する。個人認証部１９５は、たとえばＩＤおよびパスワードの入力を受け付けることなどにより、画像形成装置１を使用するユーザーの認証処理を行う。
【００４５】
図３は、携帯通信端末２の内部構成を示すブロック図である。
【００４６】
図３を参照して、携帯通信端末２（リモートの操作パネル、リモートパネル）は、ＣＰＵ２０１と、ＲＯＭ２０２と、ＲＡＭ２０３と、固定記憶装置２１０と、タッチパネル２２０と、ワイヤレスＬＡＮＩ／Ｆ２７０と、短距離無線Ｉ／Ｆ２８０と、ドックコネクタ２９０とを含んでいる。ＣＰＵ２０１には、ＲＯＭ２０２およびＲＡＭ２０３の各々がバスを介して接続されている。ＣＰＵ２０１、ＲＯＭ２０２、およびＲＡＭ２０３によって制御部２００が構成されている。ＲＯＭ２０２は、携帯通信端末２の動作を制御する制御プログラムを格納する。ＲＡＭ２０３はＣＰＵ２０１の作業用のメモリである。
【００４７】
制御部２００には、固定記憶装置２１０、タッチパネル２２０、ワイヤレスＬＡＮＩ／Ｆ２７０、短距離無線Ｉ／Ｆ２８０、およびドックコネクタ２９０の各々がバスを介して接続されている。固定記憶装置２１０は、たとえばハードディスク装置であり、各種情報を記憶する。タッチパネル２２０は、各種の情報を表示するとともに、画面を直接タッチすることによるユーザーの操作入力を受け付ける。ワイヤレスＬＡＮＩ／Ｆ２７０は、画像形成装置１などとの間で無線通信を行う。短距離無線Ｉ／Ｆ２８０は、たとえばＢｌｕｅｔｏｏｔｈ（登録商標）やＩｒＤＡ（登録商標）などであり、主に画像形成装置１との通信に用いられる。ドックコネクタ２９０は、携帯通信端末２が画像形成装置１に装着される際に用いられる。携帯通信端末２はドックコネクタ２９０を通じて、画像形成装置１との間で各種のデータを送受信する。
【００４８】
携帯通信端末２は、たとえばドックコネクタ２９０が画像形成装置１のドックコネクタ１９０に装着された場合に、その画像形成装置１と有線接続され、通信可能な状態となる。また携帯通信端末２は、短距離無線Ｉ／Ｆ１８０および２８０を介して画像形成装置１と無線通信可能な範囲内に存在する場合に、その画像形成装置１と無線接続され、通信可能な状態となる。
【００４９】
続いて、携帯通信端末２がフリック操作（表示装置端末上でのフリック操作）を受け付けた場合の表示システムの動作について説明する。
【００５０】
携帯通信端末２は、画像形成装置１と通信可能な状態である場合に、操作パネル１３０が表示する画面と実質的に同一の画面（操作パネル１３０の表示内容）を表示する。言い換えれば、操作パネル１３０が表示している画面を携帯通信端末２でも表示し、携帯通信端末２でユーザーからの操作を受け付ける。操作パネル１３０が表示する画面に対応する画面を携帯通信端末２が表示する場合、携帯通信端末２は、固定記憶装置１１０が記憶する画面データであって、操作パネル１３０が表示する画面データを取得して、タッチパネル２２０に表示する。携帯通信端末２の表示画面に変化がある場合には、携帯通信端末２は画像形成装置１から画面データを取得する。
【００５１】
図４〜図６は、携帯通信端末２がフリック操作を受け付けた場合に携帯通信端末２および操作パネル１３０が表示する画面を模式的に示す図である。図４〜図６の各々において、（ａ）は携帯通信端末２が表示する画面であり、（ｂ）は操作パネル１３０が表示する画面である。図４は、携帯通信端末２がフリック操作を受け付けた時（移動開始前）に携帯通信端末２および操作パネル１３０が表示していた画面である。図５および図６は、画面の移動開始から移動完了前（移動中）に携帯通信端末２および操作パネル１３０が表示する画面である。図４〜図６はいずれも静止画面である。
【００５２】
図４（ａ）を参照して、携帯通信端末２は、固定記憶装置１１０などに記憶されている宛先表を表示している。この宛先表には、複数の宛先に関する情報が表示されている。アドレス帳の横方向（行方向）には、１つの送信先に関する登録番号、送信種別、名前（宛先名）、かな（宛先名の振り仮名）、および宛先（送信アドレス）が記載されている。アドレス帳の縦方向（列方向）には、宛先名があいうえお順に並べられている。宛先表の右側および下側にはそれぞれスクロールバーＳＢ１およびＳＢ２が設けられている。ユーザーによってスクロールバーＳＢ１またはＳＢ２が移動された場合には、操作パネル１３０は、スクロールバーＳＢ１またはＳＢ２の移動方向に沿って宛先表の画面を移動（スクロール）させる。
【００５３】
たとえば、携帯通信端末２が表示する画面を図４（ａ）中上方向に移動したい場合、携帯通信端末２を使用しているユーザーは、図４（ａ）中の点線に沿って位置ＰＯ１から位置ＰＯ２まで、図４（ａ）中上方向に操作部（操作指または操作具など）を移動させるようなフリック操作をタッチパネル２２０上にて行う。このフリック操作を受け付けると、携帯通信端末２は、フリック操作に関するフリック情報を画像形成装置１に送信する。
【００５４】
携帯通信端末２が画像形成装置１に送信するフリック情報は、フリック操作の際の携帯通信端末２への操作部の接触位置、フリック操作の際の携帯通信端末２上での操作部の移動方向、フリック操作の際に携帯通信端末２から操作部が離れた位置、およびフリック操作の際の携帯通信端末２への操作部の接触時間を含んでいることが好ましい。
【００５５】
画像形成装置１は、フリック情報を受信すると、携帯通信端末２の画面上における一部の領域であって、画面の移動中に表示を変える領域（エリア）（以降、移動領域と呼ぶことがある）として、領域ＲＥＧ１（太線で囲まれた領域）を決定する。画像形成装置１は、受信したフリック情報に基づいて、移動領域の位置情報（携帯通信端末２の画面上における移動領域の座標）を携帯通信端末２へ送信する。また画像形成装置１は、移動領域における移動開始から移動完了までの画面の画面データ、つまり図５（ａ）および図６（ａ）の領域ＲＥＧ１の画面データを携帯通信端末２へ順次送信する。
【００５６】
画像形成装置１は、携帯通信端末２が表示していた画面に重要情報が含まれている場合、その重要情報が表示されている領域（たとえば宛先表における名前の欄）を移動領域として決定する。重要情報とは、画面データに含まれる重要な情報である。重要情報が表示されていた領域を移動領域とすることで、ユーザーが見たい領域の移動中の画面を表示することができる。画面データにおけるどの部分が重要情報であるかについては、画面データに記録されていることが好ましい。たとえば図４（ａ）に示すように、フリック操作を受け付けた時に携帯通信端末２が表示していた画面が宛先表である場合、移動領域として、宛先表の名前が記載された領域ＲＥＧ１が決定されることが好ましい。
【００５７】
携帯通信端末２は、携帯通信端末２が画像形成装置１から受信した画面データに基づいて、図５（ａ）および図６（ａ）の画面を順次表示する。図５（ａ）および図６（ａ）では、領域ＲＥＧ１以外の領域はフリック操作開始時のままの状態（フリック操作を受け付ける前に表示していた画面）である。その結果、携帯通信端末２は、領域ＲＥＧ１のみが図４（ａ）中上方向に移動するような画面を移動中の画面として表示する。
【００５８】
図４（ｂ）を参照して、操作パネル１３０が表示する画面に対応する画面を携帯通信端末２が表示する場合において、画像形成装置１がフリック情報を受信したときは、操作パネル１３０は、受信したフリック情報に基づいて、移動開始から移動完了までの画面の画面データである図５（ｂ）および図６（ｂ）の画面を順次表示する。操作パネル１３０が移動中に表示する画面は、図５（ｂ）および図６（ｂ）に示すように、移動領域のみならず画面全体が図５（ｂ）中上方向に移動する点において、図５（ａ）および図６（ａ）に示す、携帯通信端末２が移動中に表示する画面とは異なっている。
【００５９】
上述のように、表示システムは、携帯通信端末２上でフリック操作が行われた場合、画像形成装置１から携帯通信端末２に継続的に一部の領域の画面データを送ることで、携帯通信端末２上でフリック操作が行われた場合に、ユーザーが必要な情報のみを携帯通信端末２に表示する。これにより、携帯通信端末２で表示画面に関する指示を受け付け、操作パネル１３０が表示している画面に対応する画面を携帯通信端末２が表示する場合に、表示する範囲が限定される。その結果、画像形成装置１と携帯通信端末２との間の通信量を削減することができる。
【００６０】
図７は、本発明の第１の実施の形態において、パネルＡとパネルＢとの間で行われる通信の一例を示すシーケンス図である。なお、以降の説明においては、第１の表示装置（画像形成装置１、表示元の表示装置）をパネルＡと呼び、第２の表示装置（携帯通信端末２、表示先の表示装置）をパネルＢと呼ぶことがある。
【００６１】
図７を参照して、パネルＢは、パネルＢ上でのフリック操作を検出すると、フリック情報をパネルＡに通知する。パネルＡは、受信したフリック情報に基づいて、画面の移動完了位置（画面移動の最後の位置）を計算する。次にパネルＡは、移動領域（パネルＢに送るエリア）を決定する。次にパネルＡは、移動開始から移動完了前までの移動領域（決定エリア）の画面データを１枚の画面ごとに作成し、移動領域の位置情報とともに連続的にパネルＢに渡す。パネルＢは、１枚の画面の画面データを受信する度に、移動領域（受信したエリアの位置）にその画面データを表示する。
【００６２】
図８は、本発明の第１の実施の形態における、パネルＢ上でフリック操作を受け付けた場合のパネルＡの動作を説明するフローチャートである。
【００６３】
図８を参照して、パネルＡのＣＰＵ１０１は、パネルＢから入力位置（操作部の接触位置）などを含むフリック情報の通知があったか否かを判別する（Ｓ２０１）。ステップＳ２０１において、フリック情報の通知があったと判別した場合（Ｓ２０１でＹｅｓ）、ＣＰＵ１０１は、フリック情報に基づいて、フリック操作による画面移動の最後の位置を計算し（Ｓ２０２）、ステップＳ２０３の処理へ進む。一方、ステップＳ２０１において、フリック情報の通知が無いと判別した場合（Ｓ２０１でＮｏ）、ＣＰＵ１０１は、ステップＳ２０１の処理を再実行する（Ｓ２０１）。
【００６４】
ステップＳ２０３において、ＣＰＵ１０１は、移動領域（パネルＢに送るエリア、限定したエリア、決定エリア）を決定する（Ｓ２０３）。続いてＣＰＵ１０１は、受信したフリック情報に基づいて、移動領域における移動開始から移動完了まで画面データを作成し（Ｓ２０４）、移動領域の位置情報と、移動領域における移動開始から移動完了までの画面の画面データとをパネルＢへ送信する（Ｓ２０５）。次にＣＰＵ１０１は、移動完了の画面の画面データ（最終画面データ）を送信したか否かを判別する（Ｓ２０６）。
【００６５】
ステップＳ２０６において、移動完了の画面の画面データを送信したと判別した場合（Ｓ２０６でＹｅｓ）、ＣＰＵ１０１は処理を終了する。一方、ステップＳ２０６において、移動完了の画面の画面データを送信しないと判別した場合（Ｓ２０６でＮｏ）、ＣＰＵ１０１は、ステップＳ２０４の処理へ進み、次の画面の画面データを作成する（Ｓ２０４）。
【００６６】
図９は、本発明の第１の実施の形態における、パネルＢ上でフリック操作を受け付けた場合のパネルＢの動作を説明するフローチャートである。
【００６７】
図９を参照して、パネルＢのＣＰＵ２０１は、パネルＢ上でのフリック操作を検出したか否かを判別する（Ｓ３０１）。ステップＳ３０１において、フリック操作を検出したと判別した場合（Ｓ３０１でＹｅｓ）、ＣＰＵ２０１は、入力位置を含むフリック情報をパネルＡに通知し（Ｓ３０２）、ステップＳ３０３の処理へ進む。一方、ステップＳ３０１において、フリック操作を検出しないと判別した場合（Ｓ３０１でＮｏ）、ＣＰＵ１０１は、ステップＳ３０１の処理を再実行する（Ｓ３０１）。
【００６８】
ステップＳ３０３において、ＣＰＵ２０１は、パネルＡから移動領域の位置情報および画面データを受信したか否かを判別する（Ｓ３０３）。ステップＳ３０３において、移動領域の位置情報および画面データを受信したと判別した場合（Ｓ３０３でＹｅｓ）、ＣＰＵ２０１は、受信した画面データをパネルＢ上の移動領域（指定エリア位置）に表示し（Ｓ３０４）、ステップＳ３０５の処理へ進む。一方、ステップＳ３０３において、パネルＡから移動領域の位置情報および画面データを受信しないと判別した場合（Ｓ３０３でＮｏ）、ＣＰＵ１０１は、ステップＳ３０３の処理を再実行する（Ｓ３０３）。
【００６９】
ステップＳ３０５において、ＣＰＵ２０１は、移動完了の画面の画面データ（最終画面データ）を受信したか否かを判別する（Ｓ３０５）。ステップＳ３０６において、移動完了の画面の画面データを受信したと判別した場合（Ｓ３０５でＹｅｓ）、ＣＰＵ２０１は処理を終了する。一方、ステップＳ３０５において、移動完了の画面の画面データを受信しないと判別した場合（Ｓ３０５でＮｏ）、ＣＰＵ２０１は、ステップＳ３０３の処理へ進み、パネルＡから次の画面の画面データを受信したか否かを判別する（Ｓ３０３）。
【００７０】
ユーザーは、パネルＡやパネルＢなどの表示装置が表示する画面を見る際には、画面の一部の情報のみを見ており、一部の情報のみに基づいて検索や判断（操作）を行っている。たとえば、表示装置が宛先表を表示している場合、ユーザーが欲しい宛先を探すときは、通常、名前（送信先の宛名）のみを見る。言い換えれば、名前以外の登録番号、振り仮名、または送信アドレスなどは、ユーザーが宛先を探す動作の中では、必要な情報ではない。フリック操作に伴う画面をパネルＢが表示する場合に、パネルＡとパネルＢとの間の通信量が大きくなる原因は、必要な情報以外の情報までをもユーザーに見せようとしていることにある。
【００７１】
本実施の形態によれば、フリック操作を受け付けた場合に、移動中に表示する領域を絞ることにより、パネルＡとパネルＢとの間の通信量を削減することができる。それにより、違和感のない（滑らかな、自然な）フリック操作をパネルＢにて実現することができ、ユーザーの利便性を向上することができる。
【００７２】
また、重要情報が表示されていた領域を移動領域として決定することにより、ユーザーがどのような位置でフリック操作を行った場合にも、ユーザーにとって必要な情報をユーザーに提供できる。
【００７３】
なお、移動領域の決定方法としては、上述の重要情報を移動領域とする方法以外の方法が用いられてもよい。たとえば、パネルＡは、フリック情報（たとえばフリック操作の際のパネルＢへの操作部の接触位置）に基づいて移動領域を決定してもよいし、ユーザーから受け付けた設定などに基づいてパネルＢの表示画面上の移動領域を予め決定してもよい。
【００７４】
図１０は、フリック情報に基づいて決定された移動領域の一例を示す図である。
【００７５】
図１０を参照して、パネルＡは、たとえば、フリック操作の際のパネルＢへの操作部の接触位置である位置ＰＯ１およびその周囲の領域ＲＥＧ２（太線で囲まれた領域）を移動領域として決定してもよい。この場合、パネルＡはパネルＢへ領域ＲＥＧ２の画面データを送り、パネルＢは、画面の移動中には領域ＲＥＧ２の画面のみを変化させる。一般的にユーザーは、自分が見たい範囲付近をフリック操作する傾向があるので、領域ＲＥＧ２を移動領域とすることで、ユーザーが見たい領域の移動中の画面を表示することができる。パネルＢがフリック操作などに基づいて移動領域を決定し、決定した移動領域の位置情報をパネルＡへ送信してもよい。
【００７６】
［第２の実施の形態］
図１１は、本発明の第２の実施の形態において、パネルＢがフリック操作を受け付けた場合にパネルＢおよびパネルＡが表示する移動完了の画面を模式的に示す図である。図１１において、（ａ）はパネルＢが表示する画面であり、（ｂ）はパネルＡが表示する画面である。
【００７７】
図１１を参照して、本実施の形態では、移動完了の画面の画面データとして、パネルＢで受け付けたフリック操作による可動領域（フリック操作によって動くことが可能な領域）に表示される画面データをパネルＡがパネルＢへ送信する。フリック操作による可動領域は、スクロールバーＳＢ１およびＳＢ２による可動領域である領域ＲＥＧ３（太線で囲まれた領域）と一致する。パネルＢがたとえば図４〜図６に示す宛先表を表示している場合には、パネルＡは、領域ＲＥＧ３に表示される画面データをパネルＢへ送信する。その結果、パネルＢが移動完了時に表示する画面（図１１（ａ））は、パネルＡが移動完了時に表示する画面（図１１（ｂ））と同一になる。パネルＢの表示画面における領域ＲＥＧ３以外の領域は、スクロールバーＳＢ１、ＳＢ２やフリック操作によって動かない非可動領域である。
【００７８】
なおパネルＡは、移動完了の画面の画面データとして、パネルＢの表示画面における、領域ＲＥＧ３とそれ以外の非可動領域も含めた、画面全体の画面データを送信してもよい。この場合にも、移動完了時のパネルＢの画面（図１１（ａ））は、パネルＡが移動完了時に表示する画面（図１１（ｂ））と同じものになる。
【００７９】
図１２は、本発明の第２の実施の形態において、パネルＡとパネルＢとの間で行われる通信の一例を示すシーケンス図である。
【００８０】
図１２を参照して、パネルＢは、パネルＢ上でのフリック操作を検出すると、フリック情報をパネルＡに通知する。パネルＡは、受信したフリック情報に基づいて、画面の移動完了位置（画面移動の最後の位置）を計算する。次にパネルＡは、移動領域（パネルＢに送るエリア）を決定する。次にパネルＡは、移動開始から移動完了前までの移動領域（決定エリア）の画面データを１枚の画面ごとに作成し、移動領域の位置情報とともに連続的にパネルＢに渡す。パネルＡは、移動完了の画面の画面データとして、パネルＢで受け付けたフリック操作による可動領域全体の画面データ（パネルＡに表示している画面データ）を、フリック情報に基づいて作成し、パネルＢへ送信する。パネルＢは、１枚の画面の画面データを受信する度に、その画面データを表示する。
【００８１】
図１３は、本発明の第２の実施の形態における、パネルＢ上でフリック操作を受け付けた場合のパネルＡの動作を説明するフローチャートである。
【００８２】
図１３を参照して、このフローチャートでは、始めに、図８に示す第１の実施の形態のフローチャートのステップＳ２０１〜Ｓ２０５と同様の処理であるステップＳ７０１〜Ｓ７０５の処理を経る。
【００８３】
ステップＳ７０５の処理に続いて、ＣＰＵ１０１は、次に送信（または作成）する画面データが移動完了の画面の画面データ（最終画面データ）であるか否かを判別する（Ｓ７０６）。
【００８４】
ステップＳ７０６において、移動完了の画面の画面データであると判別した場合（Ｓ７０６でＹｅｓ）、ＣＰＵ１０１は、移動完了の画面の画面データとして、パネルＢで受け付けたフリック操作による可動領域全体の画面データ（パネルＡに表示している画面データ、通常の画面データ）を作成し（Ｓ７０７）、その画面データをパネルＢへ送信し（Ｓ７０８）、処理を終了する。一方、ステップＳ７０６において、移動完了の画面の画面データでないと判別した場合（Ｓ７０６でＮｏ）、ＣＰＵ１０１は、ステップＳ７０４の処理へ進み、固定記憶装置１１０が記憶している画面データを基に、次の画面の画面データであって、移動領域における画面データを作成する（Ｓ７０４）。
【００８５】
図１４は、本発明の第２の実施の形態における、パネルＢ上でフリック操作を受け付けた場合のパネルＢの動作を説明するフローチャートである。
【００８６】
図１４を参照して、このフローチャートでは、始めに、図９に示す第１の実施の形態のフローチャートのステップＳ３０１〜Ｓ３０３の各々と同様の処理であるステップＳ８０１〜Ｓ８０３の各々の処理を経る。
【００８７】
ステップＳ８０３の処理に続いて、ＣＰＵ２０１は、パネルＡから受信した画面データが移動完了の画面の画面データ（最終画面データ）であるか否かを判別する（Ｓ８０４）。ステップＳ８０４において、移動完了の画面の画面データであると判別した場合（Ｓ８０４でＹｅｓ）、ＣＰＵ２０１は、受信した画面データをそのままパネルＢ上に表示し（Ｓ８０５）、処理を終了する。一方、ステップＳ８０４において、移動完了の画面の画面データで無いと判別した場合（Ｓ８０４でＮｏ）、ＣＰＵ２０１は、受信した画面データをパネルＢ上の移動領域（指定エリア位置）に表示し（Ｓ８０６）、ステップＳ８０３の処理へ進む。
【００８８】
なお、本実施の形態における上述以外のパネルＡおよびＢの動作や、表示システムの構成などは、第１の実施の形態の場合と同様であるので、その説明は繰り返さない。
【００８９】
移動開始から移動完了前までの画面データとして、移動領域の画面データのみをパネルＡから送信している状態では、パネルＢの表示画面における移動領域とそれ以外の領域とが整合しておらず、パネルＢの表示画面における一部の領域しかパネルＡの表示画面と同期していない。本実施の形態によれば、最後に送信する画面データとして、可動領域全体またはパネルＡの表示画面全体の画面データをパネルＡがパネルＢへ送信する。これにより、フリック操作による移動完了時には、パネルＢの表示画面が整合し、パネルＡの表示画面と同期した画面となる。その結果、ユーザーが見やすい画面を提供することができる。
【００９０】
［第３の実施の形態］
本実施の形態においては、フリック情報に基づく移動領域の決定方法の第１の変形例について説明する。
【００９１】
図１５は、本発明の第３の実施の形態における移動領域を模式的に示す図である。
【００９２】
図１５を参照して、パネルＢへの操作部の接触位置である位置ＰＯ１から矢印ＡＲ１で示す方向（図１５中下方向）に向かって操作部を移動させるようなフリック操作をパネルＢが受け付け、このフリック操作に関するフリック情報をパネルＡが受信した場合を想定する。この場合、パネルＢが表示する画面は図１５中下方向に移動する。パネルＡは、通常の移動領域である領域ＲＥＧ２（位置ＰＯ１を中心とする点線の矩形の領域）を、位置ＰＯ１から矢印ＡＲ１で示す操作部の移動方向に拡大（延在）した領域ＲＥＧ４（太線で囲まれた領域）を移動領域とする。
【００９３】
図１６は、本発明の第３の実施の形態において、パネルＡとパネルＢとの間で行われる通信の一例を示すシーケンス図である。
【００９４】
図１６を参照して、パネルＢは、パネルＢ上でのフリック操作を検出すると、フリック情報をパネルＡに通知する。パネルＡは、受信したフリック情報に基づいて、画面の移動完了位置（画面移動の最後の位置）を計算する。続いてパネルＡは、通常の移動領域を操作部の移動方向（進行方向）に拡大した領域を移動領域とする。次にパネルＡは、移動開始から移動完了前までの移動領域（決定エリア）の画面データを１枚の画面ごとに作成し、移動領域の位置情報とともに連続的にパネルＢに渡す。パネルＡは、移動完了の画面の画面データとして、パネルＢで受け付けたフリック操作による可動領域全体の画面データ（パネルＡに表示している画面データ）を、フリック情報に基づいて作成し、パネルＢへ送信する。パネルＢは、１枚の画面の画面データを受信する度に、その画面データを表示する。
【００９５】
なお、パネルＡが受信したフリック情報に、フリック操作の際のパネルＢ上での操作部の移動方向が含まれていない場合には、パネルＡは、フリック操作の際のパネルＢへの操作部の接触位置と、フリック操作の際にパネルＢから操作部が離れた位置とに基づいて、フリック操作の際のパネルＢ上での操作部の移動方向（進行方向）を判断してもよい。
【００９６】
図１７は、本発明の第３の実施の形態における、パネルＢ上でフリック操作を受け付けた場合のパネルＡの動作を説明するフローチャートである。
【００９７】
図１７を参照して、パネルＡのＣＰＵ１０１は、フリック情報の通知があったか否かを判別する（Ｓ１３０１）。ステップＳ１３０１において、フリック情報の通知があったと判別した場合（Ｓ１３０１でＹｅｓ）、ＣＰＵ１０１は、フリック情報に基づいて、フリック操作による画面移動の最後の位置を計算し（Ｓ１３０２）、ステップＳ１３０３の処理へ進む。一方、ステップＳ１３０１において、フリック情報の通知が無いと判別した場合（Ｓ１３０１でＮｏ）、ＣＰＵ１０１は、ステップＳ１３０１の処理を再実行する（Ｓ１３０１）。
【００９８】
ステップＳ１３０３において、ＣＰＵ１０１は、フリック情報に基づいて通常の移動領域（パネルＢに送るエリア）を決定する（Ｓ１３０３）。次にＣＰＵ１０１は、通常の移動領域を、フリック操作における操作部の移動方向（フリック操作による進行方向）に拡大した領域を移動領域とする（Ｓ１３０４）。続いてＣＰＵ１０１は、受信したフリック情報に基づいて、移動領域における移動開始から移動完了前まで画面データを作成し（Ｓ１３０５）、移動領域の位置情報と、移動領域における移動開始から移動完了までの画面の画面データとをパネルＢへ送信する（Ｓ１３０６）。次にＣＰＵ１０１は、次に送信（または作成）する画面データが移動完了の画面の画面データ（最終画面データ）であるか否かを判別する（Ｓ１３０７）。
【００９９】
ステップＳ１３０７において、移動完了の画面の画面データであると判別した場合（Ｓ１３０７でＹｅｓ）、ＣＰＵ１０１は、移動完了の画面の画面データとして、パネルＢで受け付けたフリック操作による可動領域全体の画面データ（パネルＡに表示している画面データ、通常の画面データ）を作成し（Ｓ１３０８）、その画面データをパネルＢへ送信し（Ｓ１３０９）、処理を終了する。一方、ステップＳ１３０７において、移動完了の画面の画面データでないと判別した場合（Ｓ１３０７でＮｏ）、ＣＰＵ１０１は、ステップＳ１３０５の処理へ進み、固定記憶装置１１０が記憶している画面データを基に、次の画面の画面データであって、移動領域における画面データを作成する（Ｓ１３０５）。
【０１００】
なお、本実施の形態における上述以外のパネルＡおよびＢの動作や、表示システムの構成などは、第１の実施の形態の場合と同様であるので、その説明は繰り返さない。
【０１０１】
本実施の形態によれば、通常の移動領域を画面の移動方向側に拡大した領域を移動領域とすることで、ユーザーが画面が動いている方向に見える範囲が広がる。フリック操作による画面の移動方向には、ユーザーにとって参照したい領域がある可能性が高い。ゆえに、ユーザーに見やすい画面を提供することができる。
【０１０２】
［第４の実施の形態］
本実施の形態においては、フリック情報に基づく移動領域の決定方法の第２の変形例について説明する。
【０１０３】
図１８は、本発明の第４の実施の形態における移動領域を模式的に示す図である。
【０１０４】
図１８を参照して、パネルＢは、フリック操作を行った手（操作指）が左右どちらであるかを検知する。パネルＡは、パネルＢへの操作部の接触位置から検知した手とは逆側に延在した領域を移動領域として決定する。
【０１０５】
たとえば、パネルＢへの操作部の接触位置である位置ＰＯ１からユーザーが右手でフリック操作を行ったことをパネルＢが検知し、フリック操作を行った手（ここでは右手）に関する情報をパネルＡが受信した場合を想定する。この場合、パネルＡは、通常の移動領域である領域ＲＥＧ２（位置ＰＯ１を中心とする点線の矩形の領域）を、矢印ＡＲ２で示す方向（ここでは左側）に拡大した領域ＲＥＧ５（太線で囲まれた領域）を移動領域とする。この方向はフリック操作を行った手とは逆側の方向である。
【０１０６】
一方、パネルＢへの操作部の接触位置である位置ＰＯ１からユーザーが左手でフリック操作を行ったことをパネルＢが検知し、フリック操作を行った手（ここでは左手）に関する情報をパネルＡが受信した場合を想定する。この場合、パネルＡは、通常の移動領域である領域ＲＥＧ２を、位置ＰＯ１から矢印ＡＲ３で示す方向（ここでは右側）に拡大（延在）した領域ＲＥＧ６（太線で囲まれた領域）を移動領域とする。この方向はフリック操作を行った手とは逆側の方向である。
【０１０７】
フリックを行った手が左右どちらであるかを検知する方法としては、たとえば以下の２つの方法がある。
【０１０８】
図１９は、フリック操作を行った手の第１の検知方法を模式的に示す平面図である。
【０１０９】
図１９を参照して、ユーザーが携帯通信端末２上で図１９中縦方向にフリック操作を行った場合において、フリック操作を行った手が右手であるときは、右肘を中心として弧を描くように右手は移動する。したがって、フリック操作の軌跡は、（ａ）に示すように、左側に突き出した曲線状となる。一方、フリック操作を行った手が左手であるときは、左肘を中心として弧を描くように左手は移動する。したがって、フリック操作の軌跡は、（ｂ）に示すように、右側に突き出した曲線状となる。携帯通信端末２は、フリック操作の軌跡が（ａ）と（ｂ）のどちらに近いかに基づいて、フリック操作を行った手が左右どちらであるかを検知することができる。
【０１１０】
図２０は、フリック操作を行った手の第２の検知方法に使用されるＩＤ情報テーブルを模式的に示す図である。
【０１１１】
図２０を参照して、このＩＤ情報テーブルは、たとえば画像形成装置１の固定記憶装置１１０に記憶されている。ＩＤ情報テーブルには、表の横方向（行方向）に一人のユーザーに関するＩＤ情報が記憶されている。ＩＤ情報としては、「ＩＤ番号（ＩＤ）」、「パスワード」、「ＭＦＰの使用」（ユーザーがＭＦＰ１００の使用を許可されているか否かに関する情報）、および「利き手」の各項目が記憶されている。個人認証部１９５は、操作パネル１３０や携帯通信端末２などを通じてユーザーから入力を受け付けたＩＤおよびパスワードがＩＤ情報テーブルに含まれているか否かに基づいて、ユーザーの認証処理を行う。
【０１１２】
図２０のＩＤ情報テーブルから、たとえば「１２３４５６７８」というＩＤを持つユーザーは、ＭＦＰ１００の使用が許可されており、右手が利き手である一方、「３２４６５７８４」というＩＤを持つユーザーは、ＭＦＰ１００の使用が許可されておらず、左手が利き手であることが分かる。画像形成装置１は、個人認証部１９５にてユーザーの個人認証を行った場合には、そのユーザーに関するＩＤ情報を参照し、ＩＤ情報に含まれるそのユーザーの利き手がフリック操作を行った手であるものとして、フリック操作を行った手が左右どちらであるかを検知することができる。
【０１１３】
図２１は、本発明の第４の実施の形態において、パネルＡとパネルＢとの間で行われる通信の一例を示すシーケンス図である。
【０１１４】
図２１を参照して、パネルＢは、パネルＢ上でのフリック操作を検出すると、フリック情報をパネルＡに通知する。パネルＡは、受信したフリック情報に基づいて、画面の移動完了位置（画面移動の最後の位置）を計算する。続いてパネルＡは、通常の移動領域を、フリック操作を行った手とは逆側の方向（操作指の逆側）に拡大した領域を移動領域（決定エリア）とする。その後パネルＡは、移動開始から移動完了前までの移動領域の画面データを１枚の画面ごとに作成し、移動領域の位置情報とともに連続的にパネルＢに渡す。パネルＡは、移動完了の画面の画面データとして、パネルＢで受け付けたフリック操作による可動領域全体の画面データ（パネルＡに表示している画面データ）を、フリック情報に基づいて作成し、パネルＢへ送信する。パネルＢは、１枚の画面の画面データを受信する度に、その画面データを表示する。
【０１１５】
図２２は、本発明の第４の実施の形態における、パネルＢ上でフリック操作を受け付けた場合のパネルＡの動作を説明するフローチャートである。
【０１１６】
図２２を参照して、パネルＡのＣＰＵ１０１は、パネルＢからフリック操作を行った手（操作指）の情報およびフリック情報の通知があったか否かを判別する（Ｓ１６０１）。ステップＳ１６０１において、フリック操作を行った手の情報およびフリック情報の通知があったと判別した場合（Ｓ１６０１でＹｅｓ）、ＣＰＵ１０１は、フリック情報に基づいて、フリック操作による画面移動の最後の位置を計算し（Ｓ１６０２）、ステップＳ１６０３の処理へ進む。一方、ステップＳ１６０１において、フリック操作を行った手の情報およびフリック情報の通知が無いと判別した場合（Ｓ１６０１でＮｏ）、ＣＰＵ１０１は、ステップＳ１６０１の処理を再実行する（Ｓ１６０１）。
【０１１７】
ステップＳ１６０３において、ＣＰＵ１０１は、通常の移動領域（パネルＢに送るエリア）を決定する（Ｓ１６０３）。次にＣＰＵ１０１は、フリック操作を行った手が左であったか否かを判別する（Ｓ１６０４）。ステップＳ１６０４において、左であったと判別した場合（Ｓ１６０４でＹｅｓ）、ＣＰＵ１０１は、通常の移動領域を右側に拡大した領域を移動領域とし（Ｓ１６０５）、ステップＳ１６０７の処理へ進む。一方、ステップＳ１６０４において、右であったと判別した場合（Ｓ１６０４でＮｏ）、ＣＰＵ１０１は、通常の移動領域を左側に拡大した領域を移動領域とし（Ｓ１６０６）、ステップＳ１６０７の処理へ進む。
【０１１８】
ステップＳ１６０７において、ＣＰＵ１０１は、受信したフリック情報に基づいて、移動領域における移動開始から移動完了前まで画面データを作成し（Ｓ１６０７）、移動領域の位置情報と、移動領域における移動開始から移動完了前までの画面の画面データとをパネルＢへ送信する（Ｓ１６０８）。次にＣＰＵ１０１は、次に送信（または作成）する画面データが移動完了の画面の画面データ（最終画面データ）であるか否かを判別する（Ｓ１６０９）。
【０１１９】
ステップＳ１６０９において、移動完了の画面の画面データであると判別した場合（Ｓ１６０９でＹｅｓ）、ＣＰＵ１０１は、移動完了の画面の画面データとして、パネルＢで受け付けたフリック操作による可動領域全体の画面データ（パネルＡに表示している画面データ、通常の画面データ）を作成し（Ｓ１６１０）、その画面データをパネルＢへ送信し（Ｓ１６１１）、処理を終了する。一方、ステップＳ１６０９において、移動完了の画面の画面データでないと判別した場合（Ｓ１６０９でＮｏ）、ＣＰＵ１０１は、ステップＳ１６０７の処理へ進み、固定記憶装置１１０が記憶している画面データを基に、次の画面の画面データであって、移動領域における画面データを作成する（Ｓ１６０７）。
【０１２０】
図２３は、本発明の第４の実施の形態における、パネルＢ上でフリック操作を受け付けた場合のパネルＢの動作を説明するフローチャートである。
【０１２１】
図２３を参照して、パネルＢのＣＰＵ２０１は、パネルＢ上でのフリック操作を検出したか否かを判別する（Ｓ１７０１）。ステップＳ１７０１において、フリック操作を検出したと判別した場合（Ｓ１７０１でＹｅｓ）、ＣＰＵ２０１は、フリック操作を行った手（操作指）が左右どちらであるかを検知する（Ｓ１７０２）。次にＣＰＵ２０１は、フリック操作を行った手の情報およびフリック情報をパネルＡに通知し（Ｓ１７０３）、ステップＳ１７０４の処理へ進む。一方、ステップＳ１７０１において、フリック操作を検出しないと判別した場合（Ｓ１７０１でＮｏ）、ＣＰＵ１０１は、ステップＳ１７０１の処理を再実行する（Ｓ１７０１）。
【０１２２】
ステップＳ１７０４において、ＣＰＵ２０１は、パネルＡから移動領域の位置情報および画面データを受信したか否かを判別する（Ｓ１７０４）。ステップＳ１７０４において、移動領域の位置情報および画面データを受信したと判別した場合（Ｓ１７０４でＹｅｓ）、ＣＰＵ２０１は、パネルＡから受信した画面データが移動完了の画面の画面データ（最終画面データ）であるか否かを判別する（Ｓ１７０５）。一方、ステップＳ１７０４において、移動領域の位置情報および画面データを受信しないと判別した場合（Ｓ１７０４でＮｏ）、ＣＰＵ２０１は、ステップＳ１７０４の処理を再実行する（Ｓ１７０４）。
【０１２３】
ステップＳ１７０５において、移動完了の画面の画面データであると判別した場合（Ｓ１７０５でＹｅｓ）、ＣＰＵ２０１は、受信した画面データをそのままパネルＢ上に表示し（Ｓ１７０６）、処理を終了する。一方、ステップＳ１７０５において、移動完了の画面の画面データで無いと判別した場合（Ｓ１７０５でＮｏ）、ＣＰＵ２０１は、受信した画面データをパネルＢ上の移動領域（指定エリア位置）に表示し（Ｓ１７０７）、ステップＳ１７０４の処理へ進む。
【０１２４】
なお、本実施の形態における上述以外のパネルＡおよびＢの動作や、表示システムの構成などは、第１の実施の形態の場合と同様であるので、その説明は繰り返さない。
【０１２５】
本実施の形態によれば、ユーザーの操作指と重ならない方向に移動領域を拡大するので、操作指の陰に隠れて移動領域が見えにくくなることを防止することができる。
【０１２６】
［その他］
上述の実施の形態においては、パネルＡが表示する画面に対応する画面をパネルＢが表示する場合について示したが、パネルＡが表示する画面は任意であり、パネルＢはパネルＡの表示する画面とは異なる画面を表示してもよい。
【０１２７】
上述の実施の形態においては、パネルＡは、画面の移動開始から移動完了前（移動中）の画面を表示する場合、図５（ａ）および図６（ａ）に示すように、移動領域以外の領域に、フリック操作を受け付ける前に表示していた画面を表示する場合について示した。しかしパネルＡは、画面の移動開始から移動完了前の画面を携帯通信端末２が表示する場合、図２４に示すように、移動領域以外の領域の少なくとも一部に、フリック操作を受け付ける前に表示していた画面をグレーアウトして表示してもよい。図２４は、図５（ａ）に対応する図であり、グレーアウトした部分を斜線で示している。図２４では、登録番号、送信種別、かな）、および宛先に関する項目がグレーアウトされている。
【０１２８】
パネルＡが表示する画面の移動開始から移動完了前に移動領域以外の領域に表示される画面は、フリック操作時のまま保持され、パネルＢの表示画面とは同期がとれていない。したがって、パネルＡが表示する画面の移動開始から移動完了前には、移動領域以外の領域には、ユーザーにとって不要な情報が表示される。そこで図２４に示すように、この領域をグレーアウトして表示することにより、移動領域以外の領域が現在の画面では無いことをユーザーに認識させることができ、ユーザーの利便性を向上することができる。
【０１２９】
図２５は、携帯通信端末２がフリック操作を受け付けた時（移動開始前）に携帯通信端末２および操作パネル１３０が表示していた画面の他の例を示す図である。
【０１３０】
図２５を参照して、携帯通信端末２は、固定記憶装置１１０などに記憶されているジョブ設定画面が表示されている。ジョブ設定画面とは、画像形成装置１におけるジョブ（図２５ではプリントジョブ）に関する設定を行う画面である。ジョブ設定画面では、複数のジョブ名（設定項目）が図２５中横方向に並んでいる。
【０１３１】
フリック操作を受け付けた時にパネルＢが表示していた画面がジョブ設定画面である場合、ジョブ名が重要情報として設定されてもよく、パネルＡは、ジョブ名が表示されている領域ＲＥＧ７を移動領域として決定してもよい。たとえば、パネルＢが表示する設定項目を図２５中右方向に移動したい場合、パネルＢを使用しているユーザーは、図２５中の点線に沿って位置ＰＯ１から位置ＰＯ２まで、図２５中横方向に操作部を移動させるようなフリック操作をタッチパネル２２０上にて行う。この場合、パネルＡは、移動領域として、領域ＲＥＧ７を決定し、領域ＲＥＧ５に表示されるジョブ名が図２５中右方向に徐々に移動するような画面データを携帯通信端末２へ順次送信する。
【０１３２】
上述の実施の形態は適宜組み合わせることができる。たとえば、第１〜第４の実施の形態において、パネルＡは、パネルＢが表示している画面（パネルＢへ送信した画面データの画面）とは無関係の別の画面を表示してもよい。
【０１３３】
上述の実施の形態における処理は、ソフトウェアにより行なっても、ハードウェア回路を用いて行なってもよい。また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザーに提供することにしてもよい。プログラムは、ＣＰＵなどのコンピューターにより実行される。また、プログラムはインターネットなどの通信回線を介して、装置にダウンロードするようにしてもよい。
【０１３４】
上述の実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１３５】
１  画像形成装置
２  携帯通信端末
４  ネットワーク
４ｃ  ネットワークケーブル
１００  制御部
１０１，２０１  ＣＰＵ
１０２，２０２  ＲＯＭ
１０３  ＳＲＡＭ
１０４  ＮＶ−ＲＡＭ
１０５  時計ＩＣ
１１０，２１０  固定記憶装置
１２０  画像読取装置
１３０  操作パネル
１３１  テンキー
１３２  プリントキー
１３３  ログアウトキー
１３４  表示部
１４０  画像出力装置
１５０  プリンタコントローラ
１６０  ネットワークＩ／Ｆ
１７０，２７０  ワイヤレスＩ／Ｆ
１８０，２８０  短距離無線Ｉ／Ｆ
１９０，２９０  ドックコネクタ
１９５  個人認証部
２００  制御部
２０３  ＲＡＭ
２２０  タッチパネル
ＰＯ１，ＰＯ２  位置
ＲＥＧ１〜ＲＥＧ７  領域
ＳＢ１，ＳＢ２  スクロールバー
【図１】
0005423772.tif 000002
【図２】
0005423772.tif 000003
【図３】
0005423772.tif 000004
【図４】
0005423772.tif 000005
【図５】
0005423772.tif 000006
【図６】
0005423772.tif 000007
【図７】
0005423772.tif 000008
【図８】
0005423772.tif 000009
【図９】
0005423772.tif 000010
【図１０】
0005423772.tif 000011
【図１１】
0005423772.tif 000012
【図１２】
0005423772.tif 000013
【図１３】
0005423772.tif 000014
【図１４】
0005423772.tif 000015
【図１５】
0005423772.tif 000016
【図１６】
0005423772.tif 000017
【図１７】
0005423772.tif 000018
【図１８】
0005423772.tif 000019
【図１９】
0005423772.tif 000020
【図２０】
0005423772.tif 000021
【図２１】
0005423772.tif 000022
【図２２】
0005423772.tif 000023
【図２３】
0005423772.tif 000024
【図２４】
0005423772.tif 000025
【図２５】
0005423772.tif 000026